(57)【特許請求の範囲】
【請求項１】
シートフレームに対して動かない状態で取り付けられる取付部材と、取付部材に一体的に固定されたロックドラムとで構成された固定側部材と、
腕を支えるためのアーム部材を有し、当該アーム部材に、ロックドラムと同一軸上に配される筒状壁部が設けられ、ロックドラムを軸として回動する回動側部材と、
ロックドラム及びアーム部材の筒状壁部に外嵌されたコイルばねからなるロックばねと、ロックばねの自由端を操作するカム機構とで構成され、アーム部材が使用時最下方位置と使用時最上方位置との間の高さ調節範囲にあるときには、アーム部材の上方回動を許容しながらも下方回動を規制するロック状態を発現させ、アーム部材が使用時最上方位置を越えると、アーム部材の下方回動を許容するロック解除状態を発現させるロックばね機構と
を備えた高さ調節式のアームレストであって、
固定側部材における、回動側部材の回転中心を挟んで対向する一対２箇所以上に、下側ストッパー用当接部が設けられる一方、
回動側部材に、アーム部材が使用時最下方位置となったときに一対２箇所以上の下側ストッパー用当接部にそれぞれ当接する一対２箇所以上の下側ストッパー用被当接部が設けられ、
それぞれの下側ストッパー用被当接部が、回動側部材に形成された窪み部の段差部壁面とされるとともに、
下側ストッパー用被当接部が、断面補強された段付成形部とされた
ことを特徴とする高さ調節式のアームレスト。
【請求項２】
固定側部材と回動側部材のうち一方が、他方を回動側部材の回転軸の長手方向で挟み込む構造とされた請求項１記載の高さ調節式のアームレスト。
【請求項３】
一対２箇所以上の下側ストッパー用被当接部を有する残存平面部が、アーム部材の長手方向の中心線に対して対称配置された請求項１又は２記載の高さ調節式のアームレスト。
【請求項４】
一対２箇所以上の下側ストッパー用被当接部を有する残存平面部が、アーム部材の長手方向の中心線に対して２０〜４０°傾斜した線上に配された請求項１又は２記載の高さ調節式のアームレスト。
【請求項５】
ロックドラムの周壁部が、円筒面状を為す円筒面部と、平面状を為す平面部とで構成され、
前記平面部に、ロックばね機構におけるカム機構の少なくとも一部が設けられた
請求項１〜４いずれか記載の高さ調節式のアームレスト。
【請求項６】
アーム部材が、
鋼製のアーム部材本体部と、
アーム部材本体部の先端に取り付けられた樹脂製のアーム部材キャップ部と
で構成され、
アーム部材の筒状壁部が、２枚板構造により補強された
請求項１〜５いずれか記載の高さ調節式のアームレスト。
【請求項７】
アーム部材が、鋼製線材の折り曲げ加工品とされた請求項１〜６いずれか記載の高さ調節式のアームレスト。
【発明の詳細な説明】
【技術分野】
【０００１】
本発明は、自動車のシート等に備えられる高さ調節式のアームレストに関する。
【背景技術】
【０００２】
自動車の座席に着席した人の腕の位置は、その人の体格によって変わる。また、座席のシートバックをリクライニングしたときに、アームレストがシートバックとともに傾いてしまうと、着席者の腕が伸びず、着席者がリラックスしにくい体勢となる。このため、自動車等では、腕を支えるアーム部材を回動可能な構造とすることで、アーム部材の高さと傾きを調節できるようにした高さ調節式のアームレストが採用されることもある。
【０００３】
高さ調節式のアームレストとしては、特許文献１の図３〜５に示されるように、ロックドラム１２に外嵌されたコイルばねからなるロックばね１３と、ロックばね１３の自由端を操作するカム機構（変移カム１２ａ、復帰カム１２ｂ及び補助カム１５ｄ）とで構成されたロックばね機構を採用したものが公知となっている。このロックばね機構は、アーム部材が使用時最下方位置と使用時最上方位置との間の高さ調節範囲にあるときには、アーム部材の上方回動を許容しながらも下方回動を規制するロック状態を発現させ、アーム部材が使用時最上方位置を越えると、アーム部材の下方回動を許容するロック解除状態を発現させるものとなっている。
【０００４】
この種の高さ調節式のアームレストは、アーム部材の先端の高さ（使用時最下方位置を基準とした高さ。以下同じ。）が２００ｍｍ程度になったときにロック状態からロック解除状態に切り替わる（換言すると、アーム部材の先端の高さを０〜２００ｍｍ程度の広い範囲で調節できる）ようになっているものが多い。このため、従来の高さ調節式のアームレストでは、許容荷重強度を高めに設定することが求められる。具体的には、アーム部材の最下方位置強度が９８０Ｎ程度に設定された１個の安全ストッパーを設け、アーム部材が最下方位置以外の高さ調節範囲にあるときの許容荷重強度は、４９０Ｎ程度に設定されている。
【先行技術文献】
【特許文献】
【０００５】
【特許文献１】国際公開ＷＯ２０１４／０２４７０９号
【発明の概要】
【発明が解決しようとする課題】
【０００６】
従来の高さ調節式のアームレストでは、上記のように、アーム部材の調節範囲が広いことに対する安全面の配慮から、最下方位置強度を確保した上で許容荷重強度が高めに設定される。このため、アームレストの構成部材（アーム部材等）の板厚を大きくする必要がある。というのも、例えば、アーム部材が使用時最下方位置にあるときには、ロックドラム等の固定側部材に設けられた１個の下側ストッパー用当接部と、アーム部材等の回動側部材に設けられた１個の下側ストッパー用被当接部とが互いに当接することで、アーム部材の下方回動を規制するところ、アームレストの構成部材の板厚が薄いと、それらが当接する面積が不足して圧縮強度を確保することが難しくなり、最下方位置のストッパー（１個の下側ストッパー用当接部及び１個の下側ストッパー用被当接部）の強度を確保できなくなるからである。
【０００７】
このように、従来の高さ調節式のアームレストでは、その構成部材の板厚を大きくする必要があるため、軽量化を図ることが難しかった。また、アームレストの構成部材を所望の形状に加工しにくいため、その構成部材の製造工程を順送化（プログレ化）することが難しく、製造コストを抑えにくいという問題もあった。
【０００８】
本発明は、上記課題を解決するために為されたものであり、軽量化を図ることができるだけでなく、製造コストを抑えることもできる高さ調節式のアームレストを提供するものである。
【課題を解決するための手段】
【０００９】
上記課題は、
シートフレームに対して動かない状態で取り付けられる取付部材と、取付部材に一体的に固定されたロックドラムとで構成された固定側部材と、
腕を支えるためのアーム部材を有し、当該アーム部材に、ロックドラムと同一軸上に配される筒状壁部が設けられ、ロックドラムを軸として回動する回動側部材と、
ロックドラム及びアーム部材の筒状壁部に外嵌されたコイルばねからなるロックばねと、ロックばねの自由端を操作するカム機構とで構成され、アーム部材が使用時最下方位置と使用時最上方位置との間の高さ調節範囲にあるときには、アーム部材の上方回動を許容しながらも下方回動を規制するロック状態を発現させ、アーム部材が使用時最上方位置を越えると、アーム部材の下方回動を許容するロック解除状態を発現させるロックばね機構と
を備えた高さ調節式のアームレストであって、
固定側部材における、回動側部材の回転中心を挟んで対向する一対２箇所以上に、下側ストッパー用当接部が設けられる一方、
回動側部材に、アーム部材が使用時最下方位置となったときに一対２箇所以上の下側ストッパー用当接部にそれぞれ当接する一対２箇所以上の下側ストッパー用被当接部が設けられ、
それぞれの下側ストッパー用被当接部が、回動側部材に形成された窪み部の段差部壁面とされるとともに、
下側ストッパー用被当接部が、断面補強された段付成形部とされた
ことを特徴とする高さ調節式のアームレスト
を提供することによって解決される。
【００１０】
アーム部材の下方回動を規制する下側ストッパー用当接部及び下側ストッパー用被当接部を、上記のように、アーム部材の形状追求によって２箇所以上に設けることで、それぞれの下側ストッパー用当接部及び下側ストッパー用被当接部に掛かる負荷を分散することが可能になる。加えて、下側ストッパー用被当接部を、直線状ではなく、断面波状の段付成形部としたり、後述するカバープレートの一部を段付成形部に重ね合わせたりすることによって、下側ストッパー用当接部との必要な接触面積を確保することも可能になる（なお、固定側部材である取付部材は、十分な厚みを有するため、接触面積を十分に確保することができる。）。したがって、アームレストの構成部材の板厚を小さくすることができ、アームレストの軽量化を図ることが可能になる。また、アームレストの構成部材を所望の形状に加工しやすくなるため、その構成部材の順送化（プログレ化）を促進して、アームレストの製造コストを抑えることも可能になる。
【００１１】
本発明の高さ調節式のアームレストにおいては、固定側部材と回動側部材のうち一方が、他方を回動側部材の回転軸の長手方向で挟み込む構造とすることが好ましい。これにより、アームレストの横方向（着席者から見ると左右方向）での許容荷重強度を高めることが可能になる。加えて、上記の挟み込む構造は、スペースをとらないため、アームレストをダウンサイジングしてさらに軽量化することも可能になる。
【００１２】
本発明の高さ調節式のアームレストにおいて、一対２箇所以上に設ける下側ストッパー用被当接部は、回動側部材の回転中心を挟んで対向するように配置するのであれば、その具体的な配置を特に限定されない。例えば、一対２箇所の下側ストッパー用被当接部を有する残存平面部（「残存平面部」については後述する。）を、アーム部材の長手方向の中心線に対して対称配置することができる。これにより、左手用のアーム部材の上下を反転させると、右手用のアーム部材として使用することができるようになる。換言すると、左手用のアーム部材と右手用のアーム部材とを共用することができるようになる。したがって、部品の種類を減らして、アームレストの製造コストをさらに削減することが可能になる。以下においては、この配置を「対称配置」と呼ぶことがある。
【００１３】
また、一対２箇所以上の下側ストッパー用被当接部を有する残存平面部を、アーム部材の長手方向の中心線に対して２０〜４０°傾斜した線上に配することも好ましい。というのも、アーム部材には、通常、アーム部材を覆う表皮の内部にウレタンフォーム等のクッション材を注入するための注入口が設けられ、その注入口は、回動側部材の回転中心にできるだけ近い箇所に設けられて、外部から目立ちにくくされるところ、一対２箇所以上に設ける下側ストッパー用被当接部を対称配置した場合に、回動側部材の回転中心に近い箇所に設けようとすると、アーム部材における注入口周辺の強度を維持することが難しくなる。これに対し、一対２箇所以上に設ける下側ストッパー用被当接部を、アーム部材の長手方向の中心線に対して２０〜４０°傾斜した線上に配することで、回動側部材の回転中心に近い位置に注入口を設けても、アーム部材における注入口周辺の強度を維持することが可能になるからである。以下においては、この配置を「傾斜配置」と呼ぶことがある。
【００１４】
本発明の高さ調節式のアームレストにおいては、ロックドラムの周壁部を、円筒面状を為す円筒面部と、平面状を為す平面部とで構成し、前記平面部に、ロックばね機構におけるカム機構の少なくとも一部を設けることも好ましい。これにより、ロックドラムにおける円筒面部と平面部との境界にエッジを形成することで、摩擦力を増大させ、ロックばね機構のロック力を増大することが可能になる。また、円筒面部にカム機構を高い寸法精度で設けることは、容易ではないところ、平面部にカム機構を高い寸法精度で設けることは、それ程困難ではない。加えて、ロックドラムの製造工程を順送工程の中に組み込みやすくなる。このため、動作精度の高いアームレストを低コストで製造することが可能になる。
【００１５】
本発明の高さ調節式のアームレストにおいては、アーム部材を、鋼製のアーム部材本体部と、アーム部材本体部の先端に取り付けられた樹脂製のアーム部材キャップ部とで構成し、アーム部材の筒状壁部を、２枚板構造により補強することも好ましい。アーム部材の筒状壁部は、負荷が掛かりやすい箇所であるところ、上記のように、その部分を２枚板構造とすることによって、アーム部材の板厚を大きくすることなく、筒状壁部を補強することが可能になる。この２枚板構造は、１枚の板材に曲げ戻し加工を施すことによって形成してもよいし、一の板材に他の板材を重ね合わせることによって形成してもよい。
【００１６】
本発明の高さ調節式のアームレストにおいて、アーム部材は、通常、鋼製板材のプレス加工品とされるが、鋼製線材の折り曲げ加工品とすることも好ましい。これにより、プレス成形よりも手軽な折り曲げ加工でアーム部材を成形することができるようになり、アーム部材の製造コストを抑えることが可能になる。
【発明の効果】
【００１７】
以上のように、本発明によって、軽量化を図ることができるだけでなく、製造コストを抑えることもできる高さ調節式のアームレストを提供することが可能になる。
【図面の簡単な説明】
【００１８】
【図１】第一実施態様のアームレストを、（ａ）座席外側から見た状態と、（ｂ）座席中心側から見た状態と、（ｃ）アーム部材の中心線に沿って長手方向に切断した状態と、をそれぞれ示した図である。
【図２】第一実施態様のアームレストの動作を説明する図であって、（ａ）アーム部材が使用時最下方位置にある状態と、（ｂ）アーム部材が使用時最上方位置にある状態と、（ｃ）アーム部材が格納位置にある状態と、をそれぞれ示した図である。
【図３】第一実施態様のアームレストにおけるロックドラム周辺を拡大して示した断面図であって、（ａ）アーム部材の回転中心線に沿って長手方向に切断した状態と、（ｂ）アーム部材の回転中心線に沿って巾方向に切断した状態と、をそれぞれ示した図である。
【図４】第一実施態様のアームレストにおいて、下側ストッパー用被当接部の接触面積を確保する構造の一例を示した図であって、下側ストッパー用当接部及び波形成形で補強された下側ストッパー用被当接部をアーム部材の回動方向に重ねて示した拡大図である。
【図５】第二実施態様のアームレストを、アーム部材の中心線に沿って長手方向に切断した状態を示した断面図である。
【図６】第三実施態様のアームレストを、座席中心側から見た状態を示した図である。
【図７】第四実施態様のアームレストにおけるロックドラムを示した斜視図である。
【図８】第五実施態様のアームレストを、アーム部材の中心線に沿って長手方向に切断した状態を示した断面図である。
【図９】第六実施態様のアームレストを、（ａ）座席中心側から見た状態と、（ｂ）アーム部材の中心線に沿って長手方向に切断した状態と、をそれぞれ示した図である。
【発明を実施するための形態】
【００１９】
本発明のアームレストの好適な実施態様について、図面を用いてより具体的に説明する。以下においては、第一実施態様から第六実施態様までの６つの実施態様を例に挙げて本発明のアームレストを説明する。しかし、本発明のアームレストの技術的範囲は、これらの実施態様に限定されない。本発明のアームレストには、発明の趣旨を損なわない範囲で適宜変更を施すことができる。
【００２０】
１．第一実施態様のアームレスト
まず、第一実施態様のアームレストについて説明する。図１は、第一実施態様のアームレスト１を、（ａ）座席外側から見た状態と、（ｂ）座席中心側から見た状態と、（ｃ）アーム部材３１の中心線Ｌ１（図１（ａ）を参照。）に沿って長手方向に切断した状態と、をそれぞれ示した図である。図２は、第一実施態様のアームレスト１の動作を説明する図であって、（ａ）アーム部材３１が使用時最下方位置にある状態と、（ｂ）アーム部材３１が使用時最上方位置にある状態と、（ｃ）アーム部材３１が格納位置にある状態と、をそれぞれ示した図である。図３は、第一実施態様のアームレスト１におけるロックドラム２２の周辺（図１（ｃ）におけるα部）を拡大して示した断面図であって、（ａ）アーム部材３１の回転中心線Ｌ２に沿って長手方向に切断した状態と、（ｂ）アーム部材３１の回転中心線Ｌ２に沿って巾方向に切断した状態と、をそれぞれ示した図である。
【００２１】
第一実施態様のアームレスト１は、図１に示すように、固定側部材２と、回動側部材３と、ロックばね機構４とで構成されている。固定側部材２は、シートフレーム（図示省略）に対して動かない部材群であるのに対し、回動側部材３は、シートフレームに対して回動する部材群となっている。固定側部材２は、シートフレームに対して動かない状態で取り付けられる取付部材２１と、取付部材２１に一体的に固定されたロックドラム２２とで構成されている。
【００２２】
一方、回動側部材３は、ロックドラム２２を軸として回動するアーム部材３１によって構成されている。アーム部材３１の先端側は、シートに着席した人の腕を支えるアーム部材本体部として機能する部分となっている。図３に示すように、アーム部材３１の基端側には、筒状壁部３１ａが設けられている。アーム部材３１（回動側部材３）は、ロックドラム２２を軸として回動するように、その筒状壁部３１ａが、ロックドラム２２と同一軸上に連結される。
【００２３】
このアーム部材３１は、図２（ａ）に示す使用時最下方位置から、図２（ｂ）に示す使用時最上方位置を経て、図２（ｃ）に示す格納位置となるまで上方回動させることができるとともに、格納位置から使用時最下方位置となるまで下方回動させることができるようになっている。アームレスト１を使用することができるのは、アーム部材３１が使用時最下方位置（図２（ａ））と使用時最上方位置（図２（ｂ））との間にあるときである。この範囲（アームレスト１を使用することができる範囲）では、後述するロックばね機構４（図１（ｃ）を参照。）によって、アーム部材３１の高さ（角度）を調節することができるようになっている。以下においては、この範囲を、「高さ調節範囲」と呼ぶことがある。
【００２４】
ロックばね機構４は、図３に示すように、ロックドラム２２及びアーム部材３１の筒状壁部３１ａに外嵌されたコイルばねからなるロックばね４１と、ロックばね４１の一端部４１ａ（自由端）を操作するカム機構（後述するロック解除カム４２及びロック復帰カム４３からなる機構）とで構成されている。ロックばね４１の他端部４１ｂは、回動側部材３に固定された固定端となっている。このロックばね機構４は、アーム部材３１が上述した高さ調節範囲にあるときには、アーム部材３１の上方回動を許容しながらも下方回動を規制するロック状態を発現させ、アーム部材３１が使用時最上方位置を越えると、アーム部材３１の下方回動を許容するロック解除状態を発現させるものとなっている。
【００２５】
すなわち、アーム部材３１が高さ調節範囲にあるとき（ロック状態にあるとき）には、アーム部材３１の下方回動に対しては、ロックばね４１がロックドラム２２を締め付けた状態となり、回動不能な状態となっている。一方、アーム部材３１の上方回動に対しては、ロックばね４１がロックドラム２２に対して緩んだ状態となり、回動可能な状態となっている。
【００２６】
また、高さ調節範囲にあるアーム部材３１を上方回動させていき、アーム部材３１が使用時最上方位置（図２（ｂ））を越えると、ロックドラム２２に設けられたロック解除カム４２（図３（ｂ））が、ロックばね４１の自由端４１ａに当接してその自由端４１ａをロック解除方向（ロックばね４１を緩める方向）に強制的に変移させて係止部４４に係止させ、ロック解除状態が発現するようになっている。さらに、アーム部材３１がロック解除状態にあるときにアーム部材３１を下方回動させていくと、アーム部材３１が使用時最下方位置（図２（ａ））に達する直前で、ロックドラム２２に設けられたロック復帰カム４３（図３（ｂ））がロックばね４１の自由端４１ａに当接し、ロックばね４１の自由端４１ａを係止部４４から外す。このため、上記のロック状態が再び発現し、アーム部材３１は、再び高さ調節可能な状態となる。
【００２７】
ところで、図２（ａ）に示すように、アーム部材３１が使用時最下方位置にあるときには、固定側部材２に設けられた２箇所の下側ストッパー用当接部５１と、回動側部材３に設けられた２箇所の下側ストッパー用被当接部５２とが互いに当接することで、アーム部材３１が使用時最下方位置から下方回動することがないようになっている。下側ストッパー用当接部５１及び下側ストッパー用被当接部５２からなる下側ストッパーの下方向強度は、９８０Ｎ程度としている。また、図２（ｃ）に示すように、アーム部材３１が格納位置にあるときには、固定側部材２に設けられた上側ストッパー用当接部６１と、回動側部材３に設けられた上側ストッパー用被当接部６２とが互いに当接することで、アーム部材３１が格納位置から上方回動することがないようになっている。
【００２８】
下側ストッパー用被当接部５２は、アーム部材３１（回動側部材３）の基端側における、回動側部材３の回転中心Ｌ２を挟んで対向する２箇所に形成された一対の残存平面部３１ｂの段差部壁面としている。これら一対の残存平面部３１ｂは、鋼板製のアーム部材３１（回動側部材３）の基端側における２箇所に、アーム部材３１（回動側部材３）の回動方向に沿った一対の窪み部３１ｃをプレス加工したときに、成形されずに残った部分となっている。残存平面部３１ｂは、窪み部３１ｃから見ると、相対的に突出した状態となっている。それぞれの残存平面部３１ｂは、回動側部材３の回動方向一側と回動方向他側とに一対の段差部壁面を有するところ、その一方が下側ストッパー用被当接部５２となるようにしており、その他方が上側ストッパー用被当接部６２となるようにしている。
【００２９】
一方、下側ストッパー用当接部５１は、下側ストッパー用被当接部５２に対応する位置に設けられており、取付部材２１における突片部２１ａの端面となっている。突片部２１ａの反対側の端面（下側ストッパー用当接部５１ではない側の端面）は、上側ストッパー用当接部６１となっている。
【００３０】
このように、アーム部材３１の下方回動を規制する下側ストッパー用当接部５１及び下側ストッパー用被当接部５２を２箇所に設けて、下側ストッパー用当接部５１及び下側ストッパー用被当接部５２に掛かる負荷が分散するようにしている。
【００３１】
図４は、第一実施態様のアームレスト１において、下側ストッパー用被当接部５２の接触面積を確保する構造の一例を示した図であって、下側ストッパー用当接部５１（突片部２１ａ）及び波形成形で補強された下側ストッパー用被当接部５２（残存平面部３１ｂの端面）をアーム部材３１の回動方向に重ねて示した拡大図である。なお、下側ストッパー用被当接部５２の補強は、アーム部材３１単独に限らず、後述するカバープレート３２（図３）の一部を使って追加的に補強することもできる。
【００３２】
上記のように、下側ストッパー用被当接部５２を、工夫した段付成形部とすることによって、下側ストッパー用当接部５１と下側ストッパー用被当接部５２との必要な接触面積を確保することが可能となっている。加えて、第一実施態様のアームレスト１においては、上述したように、突片部２１ａ及び残存平面部３１ｂには、上側ストッパー用当接部６１及び上側ストッパー用被当接部６２も設けたところ、上側ストッパー用当接部６１と上側ストッパー用被当接部６２との必要な接触面積も確保できる。なお、上側ストッパー６１，６２の強度は、それ程必要ではないが、第一実施態様のアームレストでは、上側ストッパー６１，６２を、下側ストッパー５１，５２と同一形状としている。
【００３３】
以上のように、下側ストッパー用当接部５１及び下側ストッパー用被当接部５２、並びに、上側ストッパー用当接部６１及び上側ストッパー用被当接部６２をそれぞれ複数個所に設けるとともに、それぞれの接触面積が広くなる工夫（段付成形部）を施したことによって、下側ストッパー用当接部５１と下側ストッパー用被当接部とが当接したとき、及び、上側ストッパー用当接部６１と上側ストッパー用被当接部６２とが当接したときに、各部に加わる力を分散させることができるようになっている。加えて、上側ストッパー６１，６２と下側ストッパー５１，５２の強度を同一に設定したことで、左手用のアーム部材３１と右手用のアーム部材３１とを共用することが可能となっている。
【００３４】
このため、取付部材２１やアーム部材３１等、アームレスト１の構成部材の板厚を小さくすることができる。例えば、アーム部材３１の板厚は、従来では１．４ｍｍ程度であったものを０．６ｍｍ程度まで小さくすることができ、取付部材２１の板厚は、従来では、４．２ｍｍ程度であったものを２．６ｍｍ程度まで小さくすることができる。したがって、アームレスト１の軽量化を図ることが可能となっている。
【００３５】
下側ストッパー用被当接部５２を形成する一対の残存平面部３１ｂは、回動側部材３の回転中心Ｌ２を挟んで対向するように配置するのであれば、その具体的な配置を特に限定されない。第一実施態様のアームレスト１では、図２（ａ）に示すように、一対の残存平面部３１ｂを、アーム部材３１の長手方向の中心線Ｌ１上に配置している。このため、アーム部材３１は、中心線Ｌ１に対して対称な形状となっている。したがって、左手用のアーム部材３１の部品と右手用のアーム部材３１の部品とを共用できるようになっており、アームレスト１の製造コストを抑えることが可能となっている。
【００３６】
また、第一実施態様のアームレスト１では、図３に示すように、回動側部材３が、ロックドラム２２（固定側部材２）を回転中心線Ｌ２の長手方向両側から挟み込む構造となっている。具体的には、ロックドラム２２の一端側を覆うカバープレート３２を、アーム部材３１の基端側に対して一体的に取り付けるとともに、このカバープレート３２の平板部とアーム部材３１の筒状壁部３１ａの端面とで、ロックドラム２２を両側から挟み込んでいる。ロックドラム２２の外周部には、筒状壁部３１ａの端面を突き当てるための段差部が設けられている。
【００３７】
これにより、アームレスト１の横方向（左右方向）での強度を高めることが可能となっている。具体的には、一般的な高さ調節式のアームレストでは、横方向の許容荷重強度が６００Ｎ程度であるところ、第一実施態様のアームレスト１では、横方向の許容荷重強度を９８０Ｎ程度にまで高めている。また、上記のように、回動側部材３で固定側部材２を挟み込む構造を採用したことによって、アームレスト１をダウンサイジングしてさらに軽量化することも可能となっている。
【００３８】
２．第二実施態様のアームレスト
続いて、第二実施態様のアームレストについて説明する。第二実施態様のアームレストについては、第一実施態様のアームレストとは異なる構成に絞って説明する。第二実施態様のアームレストで特に言及しない構成については、上述した第一実施態様のアームレストと略同様の構成を採用することができる。図５は、第二実施態様のアームレスト１を、アーム部材３１の中心線（図１の中心線Ｌ１に相当する直線）に沿って長手方向に切断した状態を示した断面図である。
【００３９】
第一実施態様のアームレスト１では、図３に示すように、回動側部材３（カバープレート３２とアーム部材３１の筒状壁部３１ａ）が固定側部材２（ロックドラム２２）を回転中心線Ｌ２の長手方向両側から挟み込む構造となっていた。これに対し、第二実施態様のアームレスト１では、図５に示すように、固定側部材２が回動側部材３を回転中心線Ｌ２の長手方向両側から挟み込む構造となっている。具体的には、ロックドラム２２における、取付部材２１に固定される側とは逆側の端部にフランジ部２２ａを設けるとともに、アーム部材３１の基端側を覆う基端側プレート３３を、アーム部材３１の基端側に対して一体的に取り付けており、取付部材２１の平板部とロックドラム２２のフランジ部２２ａとで、基端側プレート３３における起立壁部３３ａとアーム部材３１の基端部周辺とを両側から挟み込んでいる。
【００４０】
第一実施態様のアームレスト１のように、回動側部材３が固定側部材２を挟み込む構造を採用しなくても、第二実施態様のアームレスト１のように、固定側部材２が回動側部材３を挟み込む構造を採用すれば、アームレスト１の横方向の許容荷重強度を高めることや、アームレスト１のダウンサイジング化を図ることが可能になる。
【００４１】
３．第三実施態様のアームレスト
続いて、第三実施態様のアームレストについて説明する。第三実施態様のアームレストについても、第一実施態様のアームレストとは異なる構成に絞って説明する。第三実施態様のアームレストで特に言及しない構成については、上述した第一実施態様や第二実施態様のアームレストと略同様の構成を採用することができる。図６は、第三実施態様のアームレスト１を、座席中心側から見た状態を示した図である。
【００４２】
第一実施態様のアームレスト１では、図２（ａ）に示すように、下側ストッパー用被当接部５２及び上側ストッパー用被当接部６２を形成する一対の残存平面部３１ｂを、アーム部材３１の長手方向の中心線Ｌ１上に配置していた。このため、第一実施態様のアームレスト１では、アーム部材３１を覆う表皮（図示省略）の内部にウレタンフォーム等のクッション材を注入するための注入口３１ｄを設けるスペースは、残存平面部３１ｂの周辺しかなかった。ところが、残存平面部３１ｂそのものに注入口３１ｄを設けると、アーム部材３１における注入口３１ｄ周辺の強度を維持することが難しくなるため、残存平面部３１ｂからアーム部材３１の先端側にずれた箇所に注入口３１ｄを設けていた。したがって、注入口３１ｄを隠す処理を行わなければ、注入口３１ｄがアームレスト１の外部から見えるおそれがあった。
【００４３】
これに対し、第三実施態様のアームレスト１では、図６に示すように、一対の残存平面部３１ｂを、アーム部材３１の長手方向の中心線Ｌ１に対して２０〜４０°傾斜した線Ｌ３上に配置している。これにより、注入口３１ｄを設けるスペースを一方の窪み部３１ｃに確保することが可能になる。図６に示す箇所に注入口３１ｄを設けるのであれば、アーム部材３１における注入口３１ｄ周辺の強度を維持することができる。加えて、回動側部材３の回転中心Ｌ２に近い箇所に注入口３１ｄを設けることができるため、注入口３１ｄがアームレスト１の外部から見えにくくすることも可能になる。
【００４４】
４．第四実施態様のアームレスト
続いて、第四実施態様のアームレストについて説明する。第四実施態様のアームレストについても、第一実施態様のアームレストとは異なる構成に絞って説明する。第四実施態様のアームレストで特に言及しない構成については、上述した第一実施態様から第三実施態様までのアームレストと略同様の構成を採用することができる。図７は、第四実施態様のアームレスト１におけるロックドラム２２を示した斜視図である。
【００４５】
第一実施態様のアームレスト１におけるロックドラム２２は、その周壁部の略全体が円筒状に形成されたものとなっていた。これに対し、第四実施態様のアームレスト１におけるロックドラム２２は、図７に示すように、その周壁部が、円筒面状を為す円筒面部２２ｃと、平面状を為す平面部２２ｂとで構成されたものとなっている。図７の例では、４つの円筒面部２２ｃと４つの平面部２２ｂとが、ロックドラム２２の中心線Ｌ４に対して回転対称となるように配置されている。これにより、ロックドラム２２における円筒面部２２ｃと平面部２２ｂとの境界にエッジを形成することで、摩擦力を増大させ、ロックばね機構４のロック力を増大することが可能になる。
【００４６】
加えて、第四実施態様のアームレスト１におけるロックドラム２２は、４つの平面部２２ｂのうち、対向する１組の平面部２２ｂには、上述したロックばね機構４を構成する一部のカム（図７の例では、ロック復帰カム４３）を設けている。円筒面部２２ｃにカムを高い寸法精度で設けることは容易ではないところ、平面部２２ｂであればカムを高い寸法精度で設けることができる。したがって、ロックドラム２２の製造工程を、順送工程の中に組み込みやすくなる。
【００４７】
また、４つの平面部２２ｂのうち、対向する他の１組の平面部２２ｂには、順送工程を経てプレスされるロックドラム２２における縁桟や送り桟に繋がれていた部分を切断した切断部２２ｄが残るようにしている。この切断部２２ｄを、円筒面（上記の円筒面部２２ｃが為す円筒面を延長した仮想円筒面）からはみ出さないように当該円筒面の内側に収めることによって、バリ状の切断部２２ｄをそのまま残していても、ロックばね機構４の動作に悪影響が及ぼされることはない。
【００４８】
５．第五実施態様のアームレスト
続いて、第五実施態様のアームレストについて説明する。第五実施態様のアームレストについても、第一実施態様のアームレストとは異なる構成に絞って説明する。第五実施態様のアームレストで特に言及しない構成については、上述した第一実施態様から第四実施態様までのアームレストと略同様の構成を採用することができる。図８は、第五実施態様のアームレスト１を、アーム部材３１の中心線（図１の中心線Ｌ１に相当する直線）に沿って長手方向に切断した状態を示した断面図である。
【００４９】
第一実施態様のアームレスト１では、図３に示すように、アーム部材３１の筒状壁部３１ａが、１枚板構造（一重構造）になっていた。これに対し、第五実施態様のアームレスト１では、図８に示すように、アーム部材３１の筒状壁部３１ａが、２枚板構造（二重構造）になっている。アーム部材３１の筒状壁部３１ａは、負荷が掛かりやすい箇所であるところ、この部分を２枚板構造としたことによって、アーム部材３１の板厚を大きくすることなく、筒状壁部３１ａを補強することが可能となっている。図８の例では、１枚の板材に曲げ戻し加工を施すことによって筒状壁部３１ａを２枚板構造としているが、これに限定されず、１枚の板材に他の板材を重ね合わせることによって筒状壁部３１ａを２枚板構造とすることもできる。
【００５０】
また、第一実施態様のアームレスト１では、アーム部材３１が、１枚の鋼製板材（鋼板）にプレス加工を施すことによって形成されたもの（プレス加工品）となっており、アーム部材３１の全体が鋼製となっていた。また、アーム部材３１の縁部には、カール曲げ部が設けられ、アーム部材３１の強度や安全性の向上が図られていた。しかし、アーム部材３１の先端側は、他の部分よりも巾が狭くなっており、アーム部材３１の先端部にカール曲げ部を形成することは、容易ではなかった。
【００５１】
これに対し、第五実施態様のアームレスト１では、図８に示すように、アーム部材３１を、鋼製のアーム部材本体部３１ｅと、アーム部材本体部３１ｅの先端に取り付けられた樹脂製のアーム部材キャップ部３１ｆとで構成している。アーム部材本体部３１ｅは、その先端側が切り落とされた形態を為しており、この切り落とされた部分にアーム部材キャップ部３１ｆを嵌め込んでいる。アーム部材本体部３１ｅは、その縁部にカール曲げ部を設けているものの、アーム部材本体部３１ｅの先端部には、カール曲げ部を設けていない。アーム部材本体部３１ｅの先端部の強度や安全性は、アーム部材キャップ部３１ｆで担保された状態となっている。このように、アーム部材３１の先端部を、アーム部材キャップ部３１ｆで形成することによって、アーム部材３１の先端部に複雑なカール曲げを施さなくても、アーム部材３１を必要な仕様を満たしたものとすることができるようになっている。
【００５２】
６．第六実施態様のアームレスト
最後に、第六実施態様のアームレストについて説明する。第六実施態様のアームレストについても、第一実施態様のアームレストとは異なる構成に絞って説明する。第六実施態様のアームレストで特に言及しない構成については、上述した第一実施態様から第五実施態様までのアームレストと略同様の構成を採用することができる。図９は、第六実施態様のアームレスト１を、（ａ）座席中心側から見た状態と、（ｂ）アーム部材３１の中心線Ｌ１（図９（ａ）を参照。）に沿って長手方向に切断した状態と、をそれぞれ示した図である。
【００５３】
第一実施態様のアームレスト１では、図１に示すように、アーム部材３１を鋼製板材（鋼板）のプレス加工品としていた。これに対し、第六実施態様のアームレスト１では、図９に示すように、アーム部材３１を鋼製線材（鋼線）の折り曲げ加工品としている。これにより、プレス成形よりも手軽な折り曲げ加工でアーム部材３１を成形でき、アーム部材３１の加工コストを抑えることが可能となっている。アーム部材３１を形成する鋼製線材（鋼線）の直径は、６ｍｍ程度とすることができる。
【００５４】
７．アームレストのさらなる軽量化
上述した本発明のアームレスト１は、下側ストッパー用当接部５１及び下側ストッパー用被当接部５２を２箇所に設けたことによって、下側ストッパー５１，５２に掛かる負荷を軽減し、アームレスト１の構成部材の板厚を小さくすることで、軽量化を図ることができるものとなっているが、以下の工夫を施すことによって、さらなる軽量化を図っている。
【００５５】
例えば、第一実施態様等のアームレスト１においては、高さ調節範囲の上限となる使用時最上方位置（図２（ｂ））を低めに設定している。具体的には、高さ調節範囲の下限となる使用時最下方位置（図２（ａ））を、アーム部材３１が水平となる位置に設定する一方、使用時最上方位置（図２（ｂ））を、アーム部材３１の先端が使用時最下方位置から５０〜６０ｍｍの高さとなる位置に設定している。
【００５６】
また、ロックばね機構を採用した従来のアームレストでは、ロックばねの下方向強度が４９０Ｎ程度に設定されるところ、第一実施態様等のアームレスト１では、ロックばね４１（図１（ｃ））の下方向強度をその約３分の１の１９０Ｎ程度、或いはそれ以下に設定している。このため、ロックばね４１のロック力は小さくなるが、上述したように、高さ調節範囲の上限となる使用時最上方位置（図２（ｂ））を低い箇所に設定しているため、高さ調節範囲にあるアーム部材３１が万が一下方回動しても、落差が小さく、安全性が担保された状態となっている。
【００５７】
上記のように、使用時最上方位置を低く設定することで、ロックばね４１の下方向強度を小さくできるようになるため、ロックばね４１とロックドラム２２の縮小を始めとして、ロックドラム２２やアーム部材３１の筒状壁部３１ａの板厚をさらに小さく抑えることが可能となる。したがって、アームレスト１をさらにダウンサイジングして軽量化することができる。アームレスト１の構成部材の板厚を小さくすると、それらの構成部材を所望の形状に加工しやすくなり、アームレスト１の構成部材の順送化（プログレ化）を促進して、アームレスト１の製造コストを抑えることも可能になるという利点もある。
【００５８】
８．用途
以上で述べた本発明のアームレストは、各種の座席に設けることができ、その用途を特に限定されるものではないが、自動車等の移動体に据え付けられる座席に備えるものとして好適である。
【符号の説明】
【００５９】
１    アームレスト
２    固定側部材
３    回動側部材
４    ロックばね機構
２１    取付部材
２１ａ  突片部
２２    ロックドラム
２２ａ  フランジ部
２２ｂ  平面部
２２ｃ  円筒面部
２２ｄ  切断部
３１    アーム部材
３１ａ  筒状壁部
３１ｂ  残存平面部
３１ｃ  窪み部
３１ｄ  注入口
３１ｅ  アーム部材本体部
３１ｆ  アーム部材キャップ部
３２    カバープレート
３３    基端側プレート
３３ａ  起立壁部
４１    ロックばね
４１ａ  ロックばねの一端部（自由端）
４１ｂ  ロックばねの他端部（固定端）
４２    ロック解除カム（カム機構）
４３    ロック復帰カム（カム機構）
４４    係止部
５１    下側ストッパー用当接部
５２    下側ストッパー用被当接部
６１    上側ストッパー用当接部
６２    上側ストッパー用被当接部
【要約】
【課題】
軽量化を図ることや製造コストを抑えることができる高さ調節式のアームレストを提供する。
【解決手段】
取付部材２１及びロックドラム２２で構成された固定側部材２と、アーム部材３１を有する回動側部材３と、ロックばね４１及びカム機構４２，４３で構成されたロックばね機構４とを備えた高さ調節式のアームレスト１において、固定側部材２における、回動側部材３の回転中心Ｌ２を挟んで対向する一対２箇所以上に、下側ストッパー用当接部５１を設ける一方、回動側部材３に、一対２箇所以上の下側ストッパー用被当接部５２を設け、それぞれの下側ストッパー用被当接部５２を、回動側部材３に形成された窪み部３１ｃの段差部壁面とするとともに、下側ストッパー用被当接部５２を、回動側部材３における残存平面部３１Ｂの端の段差部壁面を断面補強した段付成形部とした。
【選択図】  図２【図１】
0006685527.tif 000002
【図２】
0006685527.tif 000003
【図３】
0006685527.tif 000004
【図４】
0006685527.tif 000005
【図５】
0006685527.tif 000006
【図６】
0006685527.tif 000007
【図７】
0006685527.tif 000008
【図８】
0006685527.tif 000009
【図９】
0006685527.tif 000010